(57)【要約】【課題】  弁の有効利用を図ることが可能であると共に、従来より全長を短くすることが可能な水道メータシステムを提供する。【解決手段】  本発明の水道メータシステム６００によれば、通常の使用中には逆止弁として機能するボール８７を、例えば、水道メータ２０Ｆの検査・交換に伴う着脱時に、水道メータ２０Ｆへの水道水の供給を禁止する止水弁として利用できるので、弁としてのボール８７の有効利用を図ることができる。しかも、ボール８７はメータ受容部１１Ｆの内側（詳細には、上流側端部流路１２と上流側中継流路３１Ａとの間）に配置されたので、水道メータ２０Ｆの上流側と下流側との両方に、単に、操作弁又は逆止弁を直列接続した従来の水道メータシステムに比べて全長を短くすることができる。【選択図】  図３
2006275590.tif 000002
【特許請求の範囲】
【請求項１】
水道メータを中間金具に着脱可能に組み付けてなる水道メータシステムであって、前記中間金具には、水道管に接続される１対の水道管接続部が備えられ、水道水が前記上流側の水道管接続部から前記水道メータを通過して前記下流側の水道管接続部に流れるようにした水道メータシステムにおいて、
前記水道メータと前記上流側の水道管接続部との間の流路に形成された球体収容部屋と、
前記球体収容部屋内に収容され、水道水が前記上流側の水道管接続部から前記水道メータに向かう順方向に流れたか逆方向に流れたかに応じて、その流れの方向に移動する球体と、
前記球体収容部屋における水道水の流入口の縁部に設けられ、前記水道水が逆方向に流れた場合に前記球体が密着して前記流入口を密閉するための開口シール部と、
前記球体収容部屋における水道水の流出口に設けられて、前記水道水が順方向に流れた場合に前記球体と当接し、前記球体を前記流出口から離した位置に保持するための球体当接部と、
前記中間金具に設けられて、第１の位置と第２の位置との間で移動操作可能な可動部材と、
前記可動部材と前記球体との間に設けられ、前記可動部材が前記第１の位置に配置された場合には、前記球体を水道水の流れに応じて移動可能とする一方、前記可動部材が前記第２の位置に配置された場合には、前記球体を前記開口シール部に押し付けるカム機構とを備えたことを特徴とする水道メータシステム。
【請求項２】
前記中間金具には、前記水道メータを着脱可能に受容したメータ受容部と、一方の前記水道管接続部から前記メータ受容部内に連通した上流側端部流路と、前記メータ受容部内から他方の前記水道管接続部に連通した下流側端部流路とが形成され、
前記可動部材は、前記メータ受容部の内側に回動可能に嵌合されかつ前記水道メータを受容した筒形構造をなし、その可動部材には前記上流側端部流路と前記下流側端部流路とに対応した上流側中継流路と下流側中継流路とが貫通形成され、
前記球体収容部屋は、前記メータ受容部の内周面と前記可動部材の外周面との間に配置されて、その球体収容部屋に前記上流側端部流路と前記上流側中継流路とが共に連通するように構成され、
前記カム機構は、前記可動部材のうち前記球体収容部屋に臨んだ前記上流側中継流路の開口縁に形成されたカム斜面を有し、前記可動部材を回転させることで、前記球体が前記カム斜面に押されて前記開口シール部に押し付けられるように構成したことを特徴とする請求項１に記載の水道メータシステム。
【請求項３】
前記中間金具には、前記水道メータを着脱可能に受容したメータ受容部と、一方の前記水道管接続部から前記メータ受容部内に連通した上流側端部流路と、前記メータ受容部内から他方の前記水道管接続部に連通した下流側端部流路とが形成され、
前記可動部材は、前記メータ受容部の内側に回動可能に嵌合されかつ前記水道メータを受容した筒形構造をなし、その可動部材には前記上流側端部流路と前記下流側端部流路とに対応した上流側中継流路と下流側中継流路とが貫通形成され、
前記球体収容部屋は、前記前記メータ受容部の底部と前記可動部材の底部との間に形成され、
前記上流側端部流路の終端開口は、前記前記メータ受容部の底部に開放して前記球体収容部屋の前記流入口を構成すると共に、前記上流側中継流路の始端開口は、前記可動部材の底部に開放して前記球体収容部屋の前記流出口を構成したことを特徴とする請求項１に記載の水道メータシステム。
【請求項４】
前記水道メータを筒形構造とすることにより形成された前記水道メータの内部空間を計量流路とし、
前記可動部材の底部に前記上流側中継流路を配置しかつ、前記可動部材の前記底部とは反対側の端部近傍に前記下流側中継流路を配置したことを特徴とする請求項３に記載の水道メータシステム。
【請求項５】
前記カム機構には、前記球体収容部屋に収容されると共に、前記メータ受容部に対して回転を規制されかつ直動可能に係合したカム中継部材と、前記可動部材と前記カム中継部材との間に形成されて、前記可動部材を回動したときに摺接し、前記カム中継部材を前記球体側に直動させて前記球体を前記開口シール部に押し付ける回動摺接部とが備えられたことを特徴とする請求項３又は４に記載の水道メータシステム。
【請求項６】
前記水道メータは、前記可動部材の内部に嵌合される円柱形状をなしかつその径方向に貫通した計量流路を有し、前記計量流路を流れる水道水の通過体積を、超音波、電磁誘導又は羽根車を利用して計量するように構成され、
前記可動部材が前記第１の位置に配置された場合に、前記上流側端部流路及び前記下流側端部流路の各開口と、前記上流側中継流路及び前記下流側中継流路と、前記計量流路とが同軸線上に配置されるように構成したことを特徴とする請求項２又は３に記載の水道メータシステム。
【請求項７】
前記可動部材の一端部を前記水道メータシステムの外側に露出し、その露出部分に前記可動部材を操作するための筒体操作部を備えたことを特徴とする請求項２乃至６の何れかに記載の水道メータシステム。
【請求項８】
前記可動部材と前記水道メータとの間には、前記可動部材の内部への水道メータの挿抜を許容する一方、前記可動部材と前記水道メータとが一体回転するように係合する凸部及び凹部を備えたことを特徴とする請求項２乃至６の何れかに記載の水道メータシステム。
【請求項９】
前記凸部は、前記可動部材と前記水道メータとの一方の周面から側方に突出形成され、前記凹部は、前記可動部材と前記水道メータとの他方の周面に形成され、前記可動部材と前記水道メータとの嵌合方向に延びた溝状をなしたことを特徴とする請求項８に記載の水道メータシステム。
【発明の詳細な説明】
【技術分野】
【０００１】
本発明は、水道メータを中間金具に着脱可能に組み付けてなる水道メータシステムであって、中間金具には、水道管に接続される１対の水道管接続部が備えられ、水道水が上流側の水道管接続部から水道メータを通過して下流側の水道管接続部に流れるようにした水道メータシステムに関する。
【背景技術】
【０００２】
従来のこの種の水道メータシステムとして、図１２の（Ａ）に示すように、水道メータ１の上流側と下流側とに手動操作可能な操作弁２，２を備えた構造のものが知られている。この水道メータシステムでは、水道メータ１を交換する際には、両方の操作弁２，２を閉操作して水道メータ１への水道水の供給及び逆流を禁止していた（例えば、特許文献１参照）。
【０００３】
また、別の従来の水道メータシステムとして、図１２の（Ｂ）に示すように、水道メータ１の上流側に操作弁２を備え、下流側に水道水の逆流を防ぐための逆止弁３を備えた構造のものが知られている（例えば、特許文献２参照）。この水道メータシステムでは、水道メータ１を交換する際には、操作弁２を閉操作して水源側から水道メータ１への水道水の供給を禁止する一方、逆止弁３により住居側からの水道メータ１への水道水の逆流を禁止していた（例えば、特許文献２参照）。
【特許文献１】特開２０００−３２９６０１号公報（段落［００１１］〜［００１５］第１図、第２図）
【特許文献２】特開２００１−２１４０４号公報（段落［００１２］、第１図）
【発明の開示】
【発明が解決しようとする課題】
【０００４】
ところで、上記した一方の従来の水道メータシステムにおける逆止弁３は、水道メータシステムの通常の使用中に水道水の逆流を防ぐ役割を果たす。しかしながら、上記した他方の従来の水道メータシステムには、逆止弁が備えられていないので、水道メータシステムの上流又は下流に逆止弁を別途設ける必要があった。
【０００５】
また、上記した従来の水道メータシステムでは、水道メータ１の交換時において、住居側の水道メータ１への水道水の逆流を防ぐために、水道メータ１より下流側に操作弁２又は逆止弁３を備えていたが、住居側の蛇口を全て閉じれば逆流は生じない。仮に、逆流が生じたとしてもその量は僅かである。即ち、水道メータ１の交換時においては、水道メータ１より下流側の操作弁２又は逆止弁３の必要性は低い。
【０００６】
さらに、水道メータ１の交換時においては、水道メータ１より上流側の操作弁２は必要不可欠である。しかしながら、水道メータ１の交換周期は８年であり、従来の水道メータシステムでは、８年に１度の使用のためにだけ操作弁２が設けられていた。即ち、従来の水道メータシステムでは、これら操作弁２又は逆止弁３が有効に使用されていなかった。
【０００７】
しかも、上記した従来の水道メータシステムでは、水道メータ１の上流側と下流側との両方に、単に、操作弁２又は逆止弁３を直列接続した構造であったので、全長が長くなって大きな設置スペースが必要であるという問題が生じていた。
【０００８】
本発明は、上記事情に鑑みてなされたもので、弁の有効利用を図ることが可能であると共に、従来より全長を短くすることが可能な水道メータシステムの提供を目的とする。
【課題を解決するための手段】
【０００９】
上記目的を達成するためになされた請求項１の発明に係る水道メータシステムは、水道メータを中間金具に着脱可能に組み付けてなる水道メータシステムであって、中間金具には、水道管に接続される１対の水道管接続部が備えられ、水道水が上流側の水道管接続部から水道メータを通過して下流側の水道管接続部に流れるようにした水道メータシステムにおいて、水道メータと上流側の水道管接続部との間の流路に形成された球体収容部屋と、球体収容部屋内に収容され、水道水が上流側の水道管接続部から水道メータに向かう順方向に流れたか逆方向に流れたかに応じて、その流れの方向に移動する球体と、球体収容部屋における水道水の流入口の縁部に設けられ、水道水が逆方向に流れた場合に球体が密着して流入口を密閉するための開口シール部と、球体収容部屋における水道水の流出口に設けられて、水道水が順方向に流れた場合に球体と当接し、球体を流出口から離した位置に保持するための球体当接部と、中間金具に設けられて、第１の位置と第２の位置との間で移動操作可能な可動部材と、可動部材と球体との間に設けられ、可動部材が第１の位置に配置された場合には、球体を水道水の流れに応じて移動可能とする一方、可動部材が第２の位置に配置された場合には、球体を開口シール部に押し付けるカム機構とを備えたところに特徴を有する。
ここで、「中間金具」とは、水道管に水道メータを間接的に取り付けるための構造物であって、水道メータの業界では慣習上「中間金具」（「ＪＩＳ  Ｂ８５７０−１：２００５」を参照）と呼ばれているが、その材質は金属に限るものではなく、例えば、合成樹脂等の他の材質でもよい。
【００１０】
請求項２の発明は、請求項１に記載の水道メータシステムにおいて、中間金具には、水道メータを着脱可能に受容したメータ受容部と、一方の水道管接続部からメータ受容部内に連通した上流側端部流路と、メータ受容部内から他方の水道管接続部に連通した下流側端部流路とが形成され、可動部材は、メータ受容部の内側に回動可能に嵌合されかつ水道メータを受容した筒形構造をなし、その可動部材には上流側端部流路と下流側端部流路とに対応した上流側中継流路と下流側中継流路とが貫通形成され、球体収容部屋は、メータ受容部の内周面と可動部材の外周面との間に配置されて、その球体収容部屋に上流側端部流路と上流側中継流路とが共に連通するように構成され、カム機構は、可動部材のうち球体収容部屋に臨んだ上流側中継流路の開口縁に形成されたカム斜面を有し、可動部材を回転させることで、球体がカム斜面に押されて開口シール部に押し付けられるように構成したところに特徴を有する。
【００１１】
請求項３の発明は、請求項１に記載の水道メータシステムにおいて、中間金具には、水道メータを着脱可能に受容したメータ受容部と、一方の水道管接続部からメータ受容部内に連通した上流側端部流路と、メータ受容部内から他方の水道管接続部に連通した下流側端部流路とが形成され、可動部材は、メータ受容部の内側に回動可能に嵌合されかつ水道メータを受容した筒形構造をなし、その可動部材には上流側端部流路と下流側端部流路とに対応した上流側中継流路と下流側中継流路とが貫通形成され、球体収容部屋は、メータ受容部の底部と可動部材の底部との間に形成され、上流側端部流路の終端開口は、メータ受容部の底部に開放して球体収容部屋の流入口を構成すると共に、上流側中継流路の始端開口は、可動部材の底部に開放して球体収容部屋の流出口を構成したところに特徴を有する。
【００１２】
請求項４の発明は、請求項３に記載の水道メータシステムにおいて、水道メータを筒形構造とすることにより形成された水道メータの内部空間を計量流路とし、可動部材の底部に上流側中継流路を配置しかつ、可動部材の底部とは反対側の端部近傍に下流側中継流路を配置したところに特徴を有する。
【００１３】
請求項５の発明は、請求項３又は４に記載の水道メータシステムにおいて、カム機構には、球体収容部屋に収容されると共に、メータ受容部に対して回転を規制されかつ直動可能に係合したカム中継部材と、可動部材とカム中継部材との間に形成されて、可動部材を回動したときに摺接し、カム中継部材を球体側に直動させて球体を開口シール部に押し付ける回動摺接部とが備えられたところに特徴を有する。
【００１４】
請求項６の発明は、請求項２又は３に記載の水道メータシステムにおいて、水道メータは、可動部材の内部に嵌合される円柱形状をなしかつその径方向に貫通した計量流路を有し、計量流路を流れる水道水の通過体積を、超音波、電磁誘導又は羽根車を利用して計量するように構成され、可動部材が第１の位置に配置された場合に、上流側端部流路及び下流側端部流路の各開口と、上流側中継流路及び下流側中継流路と、計量流路とが同軸線上に配置されるように構成したところに特徴を有する。
【００１５】
請求項７の発明は、請求項２乃至６の何れかに記載の水道メータシステムにおいて、可動部材の一端部から側方に張り出して水道メータシステムの外側に露出し、可動部材を操作するための筒体操作部を備えたところに特徴を有する。
【００１６】
請求項８の発明は、請求項２乃至６の何れかに記載の水道メータシステムにおいて、可動部材と水道メータとの間には、可動部材の内部への水道メータの挿抜を許容する一方、可動部材と水道メータとが一体回転するように係合する凸部及び凹部を備えたところに特徴を有する。
【００１７】
請求項９の発明は、請求項８に記載の水道メータシステムにおいて、凸部は、可動部材と水道メータとの一方の周面から側方に突出形成され、凹部は、可動部材と水道メータとの他方の周面に形成され、可動部材と水道メータとの嵌合方向に延びた溝状をなしたところに特徴を有する。
【発明の効果】
【００１８】
［請求項１の発明］
請求項１の水道メータシステムでは、可動筒体が第１の位置に配置され、水道水が順方向に流れると、球体収容部屋に収容された球体が上流側の水道管接続部から流入した水道水に押されて球体収容部屋の流出口側へ移動する。このとき球体は、球体当接部によって流出口から離した位置に保持されるので、水道水は、球体収容部屋から水道メータに流れ込み、水道水の通過体積が計量される。一方、水道水が逆方向に流れると、球体が水道水に押されて球体収容部屋の流入口側へ移動し、流入口の縁部に設けられた開口シール部に密着する。すると水道水が球体収容部屋で堰き止められて水道メータシステムの上流側への逆流が禁止される。即ち、球体は逆止弁として機能する。
【００１９】
ところで、可動筒体を第１の位置から第２の位置に移動操作すると、可動筒体に形成されたカム機構により、球体が開口シール部に押し付けられて、上流側の水道管接続部と球体収容部屋との間が断絶され、水道水が水道管接続部にて堰き止められる。即ち、通常の使用中に逆止弁として機能する球体を、水道メータの着脱時に水道メータへの水道水の供給を禁止する止水弁として利用できるので、弁としての球体の有効利用を図ることができる。
【００２０】
しかも、球体は水道メータと上流側の水道管接続部との間に配置されたので、水道メータの上流側と下流側との両方に、単に、操作弁又は逆止弁を直列接続した従来の水道メータシステムに比べて全長を短くすることができる。
【００２１】
［請求項２の発明］
請求項２の水道メータシステムにおいて、水道メータを取り外す際には、可動筒体をメータ受容部内で回動し第２の位置とする。すると、上流側中継流路の開口縁に形成されたカム斜面に押されて球体が開口シール部に押し付けられて、上流側端部流路と上流側中継流路との間が断絶する。これにより、水道メータに水道水が供給されなくなる。この状態で水道メータをメータ受容部から取り外せば、中間金具からの放水が防止される。
【００２２】
［請求項３の発明］
請求項３の水道メータシステムにおいて、水道メータを取り外す際には、可動筒体をメータ受容部内で回動し第２の位置とする。すると、可動筒体に形成されたカム機構により、球体が開口シール部に押し付けられて、上流側端部流路と上流側中継流路との間が断絶され、水道水が上流側端部流路にて堰き止められる。即ち、水道メータに水道水が供給されなくなる。この状態で水道メータをメータ受容部から取り外せば、中間金具からの放水が防止される。
【００２３】
［請求項４の発明］
請求項４の発明によれば、水道水は、可動部材の底部に設けられた上流側中継流路から水道メータの内部空間、即ち、計量流路に流入して水道水の通過体積が計量され、可動部材の底部とは反対側の端部近傍に設けられた下流側中継流路から流出する。
【００２４】
［請求項５の発明］
請求項５の水道メータシステムでは、可動筒体がメータ受容部内で第２の位置に向かって回動すると、回動摺接部材がカム中継部材に摺接して、カム中継部材が球体側に直動する。すると、カム中継部材に押されて球体が開口シール部側に移動し、可動筒体が第２の位置に至ると球体が開口シール部に押し付けられて、上流側端部流路と上流側中継流路との間が断絶する。即ち、水道メータに水道水が供給されなくなる。この状態で水道メータをメータ受容部から取り外せば、中間金具からの放水が防止される。
【００２５】
［請求項６の発明］
請求項６の水道メータシステムによれば、可動部材を第２の位置にすることで水道メータよりも上流側と下流側の両方を一度に止水することができる。また、可動部材が第１の位置には位置されたときに、水道水をスムーズに流すことができる。
【００２６】
［請求項７の発明］
請求項７の水道メータシステムでは、水道メータシステムの外側から可動部材を第１の位置と第２の位置との間で移動操作することができ、作業効率が向上する。
【００２７】
［請求項８及び９の発明］
請求項８の水道メータシステムでは、水道メータを回動操作することで可動部材を第１の位置と第２の位置との間で回動させることができる。具体的には、凸部は、可動部材と水道メータとの一方の周面から側方に突出形成され、凹部は、可動部材と水道メータとの他方の周面に形成され、可動部材と水道メータとの嵌合方向に延びた溝状とすればよい（請求項９の発明）。
【発明を実施するための最良の形態】
【００２８】
［第１実施形態］
本発明の第１実施形態を図１〜図５に基づいて説明する。図１には、本実施形態に係る水道メータシステム６００の全体構造が示されている。水道メータシステム６００のうち中間金具１０Ｆは、下端有底の円筒構造をなしたメータ受容部１１Ｆの外周面から相反する方向に１対の水道管接続部１１Ｊ，１１Ｋを延設した構造をなし、これら水道管接続部１１Ｊ，１１Ｋが、図示しない水道管に接続される。そして、図１における左側の水道管接続部１１Ｊの内部空間が上流側端部流路１２をなす一方、反対側の水道管接続部１１Ｋの内部空間が下流側端部流路１３をなしている。
【００２９】
メータ受容部１１Ｆの内周面のうち、周方向で互いに１８０度離れた位置には上流側端部流路１２及び下流側端部流路１３の各開口１２Ａ，１３Ａが配置されている。メータ受容部１１Ｆの上端には開放口１４が形成され、この開放口１４から水道メータ２０Ｆを収容した可動筒体３０Ｆ（本発明の「可動部材」に相当する）が挿入されている。そして可動筒体３０Ｆは、メータ受容部１１Ｆに対して通水位置（本発明の「第１の位置」に相当する）と止水位置（本発明の「第２の位置」に相当する）との間で回動可能に嵌合されている。なお、メータ受容部１１Ｆの上端内周面に嵌合されたＣリング１５によって可動筒体３０Ｆの抜け止めが図られている。
【００３０】
水道メータ２０Ｆは、円柱構造をなすと共に内部に計量流路２１を備える。計量流路２１は水道メータ２０Ｆを径方向に貫通しており、この計量流路２１を流れる水道水の通過定積が、所謂、超音波、電磁誘導又は羽根車を利用して計量される。また、水道メータ２０Ｆの下端部中央には、水道メータ２０Ｆと後述する可動筒体３０Ｆとを一体回動可能に連結する断面非円形の連結凸部２２が形成されている。
【００３１】
図１に示すように、水道メータ２０Ｆの上端外周面には、その全周に亘ってＯリング溝が形成され、ここにＯリング２３Ａが装着されている。また、水道メータ２０Ｆの外面には、計量流路２１の上流側の開口縁を囲むようにＯリング溝が形成され、ここにＯリング２３Ｂが装着されている。これらＯリング２３Ａ，２３Ｂは可動筒体３０Ｆの内周面に押し潰されて密着している。
【００３２】
水道メータ２０Ｆの上端には計量結果を表示するための表示部Ｍが一体に設けられ、中間金具１０Ｆから露出している。表示部Ｍは、所謂、バヨネット式の係止構造を備え、周縁部に形成された複数の係止爪によりメータ受容部１１Ｆの上端縁に係止されている。なお、水道メータ２０Ｆと中間金具１０Ｆとの間は、常には図示しない取り外し防止部材によって連結されており、正規の作業者ではない者によって不正に水道メータ２０Ｆが取り外されることが防止されている。 
【００３３】
さて、可動筒体３０Ｆは、以下のようである。可動筒体３０Ｆは下端有底の円筒構造をなして水道メータ２０Ｆのほぼ全体を収容し、その周方向で互いに１８０度離れた位置に、可動筒体３０Ｆの円筒壁部を貫通した上流側中継流路３１Ａ及び下流側中継流路３１Ｂが形成されている。
【００３４】
図１に示すように、可動筒体３０Ｆの上端外周面には、その全周に亘ってＯリング溝が形成され、ここにＯリング３３Ａが装着されている。また、可動筒体３０Ｆの外面には、上流側中継流路３１Ａの開口縁を囲むようにＯリング溝が形成され、ここにＯリング３３Ｂが装着されている。これらＯリング３３Ａ，３３Ｂはメータ受容部１１Ｆの内面に密着している。
【００３５】
可動筒体３０Ｆの内面底部には、連結凹部３５が陥没形成され、ここに水道メータ２０Ｆの連結凸部２２が凹凸嵌合している。ここで、連結凹部３５と連結凸部２２とが凹凸嵌合すると、水道メータ２０Ｆの計量流路２１と可動筒体３０Ｆの上流側中継流路３１Ａ及び下流側中継流路３１Ｂとが同軸線上に位置決めされる。
【００３６】
ところで、メータ受容部１１Ｆの内周面と可動筒体３０Ｆとの間、詳細には、上流側端部流路１２の開口１２Ａと上流側中継流路３１Ａとの間には、例えばゴム製のボール８７（本発明の「球体」に相当する）を収容したボール収容部屋１７（本発明の「球体収容部屋」に相当する）が設けられている。ボール収容部屋１７はボール８７が遊動可能な広さを有し、上流側端部流路１２と上流側中継流路３１Ａとに連通している。即ち、上流側端部流路１２の開口１２Ａは、ボール収容部屋１７の流入口となっており、上流側中継流路３１Ａは、ボール収容部屋１７の流出口となっている。
【００３７】
また、上流側端部流路１２の開口１２Ａの周縁部には、例えばゴム製の環状パッキン８８（本発明の「開口シール部」に相当する）が装着されている。環状パッキン８８のうち、ボール収容部屋１７側の開口縁は、ボール収容部屋１７から上流側端部流路１２に向かうに従って窄んだすり鉢形状をなしている。
【００３８】
一方、上流側中継流路３１Ａはボール収容部屋１７から離れるに従ってすり鉢状に窄んだ形状をなし、その内周面が本発明におけるカム斜面３１Ｃとなっている。また、上流側中継流路３１Ａのうち計量流路２１に臨んだ開口縁には、ボール当接部８９が嵌め込まれている。図５に示すように、ボール当接部８９は複数の貫通孔を備えた格子状をなしており、このボール当接部８９は、ボール８７を常に上流側中継流路３１Ａの開口縁から離れた位置に保持しつつ水道水の通過を許容している。
【００３９】
本実施形態の水道メータシステム６００に関する構成は以上であり、以下動作について説明する。水道メータシステム６００を通常使用する場合、即ち、水道水の通過体積を計量する場合には、可動筒体３０Ｆを通水位置に配置する。このとき、上流側端部流路１２及び下流側端部流路１３の各開口１２Ａ，１３Ａと、上流側中継流路３１Ａ及び下流側中継流路３１Ｂと、計量流路２１とが同軸線上に配置される（図１及び図２の状態）
【００４０】
すると、上流側端部流路１２に流れ込んだ水道水によってボール８７は上流側中継流路３１Ａ側へ押されて移動し、環状パッキン８８とボール８７との間に隙間ができる。また上流側中継流路３１Ａ側へ押されたボール８７は、ボール当接部８９に当接して上流側中継流路３１Ａの開口縁から離れた位置に保持され、上流側中継流路３１Ａとボール８７との間にも隙間ができる。これにより、水道水は、上流側端部流路１２からボール収容部屋１７に流れ込み、ボール収容部屋１７から上流側中継流路３１Ａを通って計量流路２１へ供給される。そして、計量流路２１を通過する際に水道水の通過体積が計量される。
【００４１】
ここで、水道水が下流側端部流路１３から上流側端部流路１２に向かう逆方向に流れた場合には、ボール８７は水道水に押されて上流側端部流路１２側に移動し、環状パッキン８８の開口縁に密着して上流側端部流路１２の開口１２Ａを閉塞する。即ち、ボール８７は、水道水の順方向への流れを許容し逆方向への流れを禁止する逆止弁として機能する。
【００４２】
さて、水道メータ２０Ｆを検査或いは交換する場合には以下の手順により水道メータ２０Ｆを中間金具１０Ｆから取り外す。まず、可動筒体３０Ｆを通水位置から止水位置へ向けて回動させる。具体的には、表示ユニットＭを把持して水道メータ２０Ｆをメータ受容部１１Ｆに対して回動操作する。すると、可動筒体３０Ｆが水道メータ２０Ｆと一体となってメータ受容部１１Ｆに対して回動し、上流側中継流路３１Ａのカム斜面３１Ｃとボール８７とが当接する。可動筒体３０Ｆがさらに回動すると、カム斜面３１Ｃに押されてボール８７が徐々に上流側端部流路１２側へ移動する。そして、可動筒体３０Ｆが止水位置となると、ボール８７がカム斜面３１Ｃに押されて環状パッキン８８の開口縁に密着し、上流側端部流路１２の開口１２Ａが完全に塞がれる（図３の状態）。これにより、水道水は上流側端部流路１２の内部で堰き止められ、水道メータ２０Ｆへの水道水の供給が停止する。
【００４３】
このとき、バヨネットによる係止が解除されているので、表示部Ｍを把持して水道メータ２０Ｆを上方に引き上げると、水道メータ２０Ｆが可動筒体３０Ｆから抜き取られる。しかも、水道メータ２０Ｆへの水道水の供給はすでに禁止されているので、水道メータ２０Ｆを取り外しても、中間金具１０Ｆから放水することはない。
【００４４】
検査の済んだ水道メータ２０Ｆ或いは新規な水道メータ２０Ｆは、可動筒体３０Ｆの上端開口３２から挿入する。このとき、水道メータ２０Ｆの連結凸部２２と可動筒体３０Ｆの連結凹部３５とを凹凸嵌合させて、計量流路２１と上流側中継流路３１Ａ及び下流側中継流路３１Ｂとが連通した状態とする。次いで、水道メータ２０Ｆを回動することで可動筒体３０Ｆを通水位置に戻せば、水道メータ２０Ｆの着脱作業は終了であり、再び水道メータ２０Ｆの計量流路２１に通水されて、水道水の通過体積が計量可能となる。
【００４５】
このように本実施形態の水道メータシステム６００によれば、通常の使用中には逆止弁として機能するボール８７を、水道メータ２０Ｆの着脱時には、水道メータ２０Ｆへの水道水の供給を禁止する止水弁として利用できるので、弁としてのボール８７の有効利用を図ることができる。
【００４６】
しかも、ボール８７はメータ受容部１１Ｆの内側（詳細には、上流側端部流路１２と上流側中継流路３１Ａとの間）に配置されたので、水道メータの上流側と下流側との両方に、単に、操作弁又は逆止弁を直列接続した従来の水道メータシステムに比べて全長を短くすることができる。
【００４７】
［第２実施形態］
本発明の第２実施形態を図６〜図１０に基づいて説明する。図６には、本実施形態に係る水道メータシステム７００の全体構造が示されている。水道メータシステム７００のうち、中間金具１０Ｇは、本体部１１Ｖの外周面から相反する方向に１対の水道管接続部１１Ｊ，１１Ｋを延設した構造をなし、これら水道管接続部１１Ｊ，１１Ｋが、図示しない水道管に接続される。
【００４８】
本体部１１Ｖの内部は、下端有底の円筒構造をなしたメータ受容部１１Ｇにより、図６における左側の水道管接続部１１Ｊから下方に延びた下側部屋１１Ｔと、下側部屋１１Ｔの上方に位置して右側の水道管接続部１１Ｋに連通した上側部屋１１Ｕとに分けられている。これら下側部屋１１Ｔと上側部屋１１Ｕは、メータ受容部１１Ｇで上下に重なりかつ、メータ受容部１１Ｇの底壁に形成された流入口１１Ｗを介して連通している。また、メータ受容部１１Ｇの底壁上面には、流入口１１Ｗを囲むようにリング溝が形成され、ここに本発明の「開口シール部」に相当する環状パッキン１６が装着されている。さらに、メータ受容部１１Ｇの底壁には、環状パッキン１６を囲むように円筒ガイド壁１１Ｙが起立形成されている。
【００４９】
そして、図６における左側の水道管接続部１１Ｊの内部空間及び下側部屋１１Ｔが上流側端部流路１２をなし、図６における右側の水道管接続部１１Ｋの内部空間が下流側端部流路１３をなしている。即ち、上流側端部流路１２の終端開口が流入口１１Ｗとなっている。
【００５０】
本体部１１Ｖの上端には開放口１４が形成され、この開放口１４から水道メータ２０Ｇを収容した可動筒体３０Ｇ（本発明の「可動部材」に相当する）が挿入されている。そして可動筒体３０Ｇは、メータ受容部１１Ｇに対して通水位置と止水位置との間で回動可能に嵌合されている。なお、本体部１１Ｖの上端部に螺合された連結ナット８０が可動筒体３０Ｇの上端面に重なって可動筒体３０Ｇの抜け止めが図られている。
【００５１】
水道メータ２０Ｇは円柱構造をなし、その軸心部分に計量流路２１が設けられている。水道メータ２０Ｇの上部には複数の側部開口２７が周方向に並んで形成され、計量流路２１Ｇを通過した水道水は、これら側部開口２７から水道メータ２０Ｇの外部に流出するようになっている。また、計量流路２１Ｇを流れる水道水の通過体積は、所謂、超音波、電磁誘導又は羽根車を利用して計量される。
【００５２】
水道メータ２０Ｇのうち、側部開口２７よりも上側部分には、外周面の全周に亘ってシール溝が形成され、ここに装着されたＯリング２３Ａが可動筒体３０Ｇの内面で押し潰されて密着している。さらに水道メータ２０Ｇの上端は閉塞されかつその上部には表示ユニットＭが一体に設けられており、水道メータ２０Ｇで計測された通過体積はここで表示される。なお、表示ユニットＭは係止部材９３により本体部１１Ｖ（詳細には、本体部１１Ｖに螺合した連結ナット８０）に係止されている。
【００５３】
図９に示すように、水道メータ２０Ｇの外周面のうち、周方向で互いに１８０度離れた位置には、水道メータ２０Ｇと後述する可動筒体３０Ｇとを一体回動可能に連結した１対の連結凸部２４，２４が設けられている。また、図６に示すように、水道メータ２０Ｇの上端部には水道メータ２０Ｇで計測された水道水の通過体積を表示するための表示部Ｍが一体に設けられ、この表示部Ｍが係止部材９３により本体部１１Ｖ（詳細には、本体部１１Ｖに螺合した連結ナット８０）に係止されている。
【００５４】
可動筒体３０Ｇは以下のようである。可動筒体３０Ｇは両端開放の円筒構造をなし、隔壁３０Ｌ（本発明における「可動部材の底部」に相当する）よりも上側の内部空間が水道メータ収容部屋５０Ａをなす一方、隔壁３０Ｌよりも下側でメータ受容部１１Ｇの底部との間の内部空間がボール収容部屋５０Ｂ（本発明の「球体収容部屋」に相当する）をなしている。これら水道メータ収容部屋５０Ａ及びボール収容部屋５０Ｂは、隔壁３０Ｌの中心部分に貫通形成された流出口３０Ｍを介して連通している。また、水道メータ２０Ｇの下面に形成された計量流路２１Ｇの上流側開口が流出口３０Ｍに整合している。なお、流出口３０Ｍの内側空間が、本発明の「上流側中継流路」に相当する。
【００５５】
水道メータ収容部屋５０Ａは円柱空間で構成され水道メータ２０Ｇのほぼ全体を収容している。水道メータ収容部屋５０Ａの底面、即ち、隔壁３０Ｌの上面には流出口３０Ｍを囲むようにＯリング溝が形成され、ここに装着されたＯリング３３Ｇが水道メータ２０Ｇの下面に押し潰されて密着している。
【００５６】
可動筒体３０Ｇの上端寄り部分には、可動筒体３０Ｇの周壁を貫通した複数の側部開口５１が設けられている。側部開口５１は、可動筒体３０Ｇの周方向に並んで設けられ、水道メータ収容部屋５０Ａと下流側端部流路１３とを連通させている。また、可動筒体３０Ｇの側部開口５１は水道メータ２０Ｇの側部開口２７に整合しており、これにより、計量流路２１Ｇと下流側端部流路１３とが連通している。なお、この側部開口５１の内部空間が、本発明の「下流側中継流路」に相当する。
【００５７】
また、図９に示すように、可動筒体３０Ｇの内周面で、その周方向で互いに１８０度離れた位置には１対の連結溝３４，３４が形成されている。連結溝３４は可動筒体３０Ｆの軸方向（図９における上下方向）に延びて上端開口３２側に開放し、ここに水道メータ２０Ｆの連結凸部２４，２４が凹凸嵌合している。連結凸部２４，２４と連結溝３４，３４とが凹凸嵌合すると、水道メータ２０Ｇの側部開口２７と可動筒体３０Ｇの側部開口５１とが整合するように位置決めされる（図６〜９の状態）。また、連結凸部２４，２４及び連結溝３４，３４は、水道メータ２０Ｇと可動筒体３０Ｇとを一体回動可能としつつ、水道メータ２０Ｇを可動筒体３０Ｇに対して挿抜可能としている。
【００５８】
一方、ボール収容部屋５０Ｂは、水道メータ収容部屋５０Ａに比べて扁平な略円柱空間で構成され、ゴム製のボール８７を遊動可能に収容している。ボール収容部屋５０Ｂの上面、即ち、隔壁３０Ｌの下面は、周縁部から流出口３０Ｍに近づくに従って、メータ受容部１１Ｇの底壁から離れるようにドーム状に湾曲している。
【００５９】
ところで、ボール収容部屋５０Ｂには、可動筒体３０Ｇが通水位置（本発明の「第１の位置」に相当する）に配置されたときには、水道水の流れに応じてボール８７をボール収容部屋１７の内部で移動可能とし、可動筒体３０Ｇが通水位置から止水位置に向かって移動する過程でボール８７をメータ受容部１１Ｇの底壁側へ移動させ、止水位置に達したときに、ボール８７を環状パッキン１６に押し付けるカム機構が備えられている。
【００６０】
具体的には、カム機構は、メータ受容部１１Ｇに対して回転を規制されかつ上下方向に直動可能なカム中継部材９１と、可動筒体３０Ｇが通水位置から止水位置に向けて回動したときに、カム中継部材９１に摺接しかつカム中継部材９１をボール８７側へ移動させる回動摺接壁９２とから構成される。
【００６１】
カム中継部材９１は、円板壁９１Ａの周縁部からメータ受容部１１Ｇの底壁に向かって円筒脚壁９１Ｂを突出させた構造をなし、その円筒脚壁９１Ｂが可動筒体３０Ｇの内面と円筒ガイド壁１１Ｙの外面との間に直動可能に嵌合している。また、図示しないが、円筒脚壁９１Ｂと円筒ガイド壁１１Ｙの互いの摺接面には、カム中継部材９１のメータ受容部１１Ｇに対する回動を禁止しかつ、メータ受容部１１Ｇに対する上下方向への直動を許容した凹凸係合部が設けられている。
【００６２】
カム中継部材９１のうち円板壁９１Ａは、可動筒体３０Ｇの流出口３０Ｍから離して配置され、複数の通水口９１Ｅが貫通形成されている。また、円板壁９１Ａの中央部には、メータ受容部１１Ｇの底壁から隔壁３０Ｌに向かうに従ってすり鉢状に窄んだボール受け凹所９１Ｄが形成され、ここでボール８７を受け止めるようになっている。
【００６３】
カム中継部材９１のうち円板壁９１Ａの上面周縁部にはカム斜面９１Ｃが設けられている。図１０の（Ａ）に示すように、カム斜面９１Ｃは、可動筒体３０Ｇを通水位置から止水位置へ向けて回動する際の回動方向（図１０の（Ａ）における右方向）とは反対方向を向いている。そして、可動筒体３０Ｇが通水位置から止水位置に向けて回動した場合には、このカム斜面９１Ｃに次述する回動摺接壁９２が摺接する。
【００６４】
回動摺接壁９２（本発明の「回動摺接部」に相当する）は、隔壁３０Ｌの下面周縁部からカム中継部材９１に向かって突出している。回動摺接壁９２の下端部には、可動筒体３０Ｇを通水位置から止水位置へ向けて回動する際の回動方向（図１０における右方向）を向いたカム斜面９２Ａが備えられている。そして、可動筒体３０Ｇが通水位置に配置され、カム中継部材９１がその直動ストロークの上端位置のときには、回動摺接壁９２の下面とカム中継部材９１の上面とが噛合する一方、可動筒体３０Ｇ、即ち、回動摺接壁９２が通水位置から止水位置へ向けて回動（図１０の（Ａ）における右方向へ移動）すると、回動摺接壁９２のカム斜面９２Ａが、カム中継部材９１のカム斜面９１Ｃに摺接しつつカム中継部材９１をメータ受容部１１Ｇの底壁側、即ち、ボール８７側に押し下げるようになっている（図１０の（Ｂ）を参照）。
【００６５】
本実施形態の水道メータシステム７００に関する構成は以上であり、以下動作について説明する。水道メータシステム７００を通常使用する場合、即ち、水道水の通過体積を計量する場合には、可動筒体３０Ｇを通水位置に配置する。具体的には、例えば、表示ユニットＭに付された目印を中間金具１０Ｇの外面に付された通水位置用の目印に一致させる。すると、上流側端部流路１２から下流側端部流路１３に向かって流れる水道水の水圧により、ボール８７がボール収容部屋５０Ｂ内で上方に押し上げられ、環状パッキン１６から離れて流入口１１Ｗが開放される。またボール８７は、カム中継部材９１のボール受け凹所９１Ｄで受け止められて、流出口３０Ｍから離れた位置に保持される。これにより、水道水は、上流側端部流路１２からボール収容部屋５０Ｂに流れ込み、ボール収容部屋５０Ｂから計量流路２１Ｇへ供給される。そして、計量流路２１Ｇを通過する水道水の通過体積が計量される。
【００６６】
ここで、水道水が下流側端部流路１３から上流側端部流路１２に向かう逆方向に流れた場合、ボール８７は水道水に押されてメータ受容部１１Ｇの底壁側に移動し、水圧によって環状パッキン１６に密着して流入口１１Ｗを塞ぐ。これにより、水道水は、ボール収容部屋５０Ｂで堰き止められて上流側端部流路１２に向かって流れことが禁止される。即ち、水道メータシステム７００の通常使用時には、ボール８７は水道水の順方向への流れを許容し逆方向への流れを禁止する逆止弁として機能する。
【００６７】
さて、水道メータ２０Ｇを検査或いは交換する場合には以下の手順により、水道メータ２０Ｇを中間金具１０Ｇから取り外す。具体的には、表示部Ｍを把持して水道メータ２０Ｇをメータ受容部１１Ｇに対して所定角度だけ回動操作する。すると可動筒体３０Ｇが水道メータ２０Ｇと一体に回動する。このとき、可動筒体３０Ｇに備えた回動摺接壁９２とカム中継部材９１とが摺接して、カム中継部材９１がメータ受容部１１Ｇの底壁側へ移動する。このとき、カム中継部材９１はボール受け凹所９１Ｄにボール８７を受け止めてボール８７をメータ受容部１１Ｇの底壁側へ移動させる。可動筒体３０Ｇが止水位置に配置され、カム中継部材９１がその直動ストロークの下端位置に達すると、ボール８７がカム中継部材９１によって環状パッキン１６に押し付けられ流入口１１Ｗが塞がれる（図７の状態）。これにより、水道水は上流側端部流路１２の内部で堰き止められ、水道メータ２０Ｇへの水道水の供給が停止する。
【００６８】
この状態で係止部材９３を外側に撓ませて係止を解除し、図８に示すように上方に引き上げると、水道メータ２０Ｇが可動筒体３０Ｇから抜け外れる。このとき、水道メータ２０Ｇへの水道水の供給はすでに禁止されているので、水道メータ２０Ｇを取り外しても、中間金具１０Ｇから放水することはない。
【００６９】
検査の済んだ水道メータ２０Ｇ或いは新規な水道メータ２０Ｇは、可動筒体３０Ｇの上端開口３２から挿入して、水道メータ２０Ｇの連結凸部２４，２４と可動筒体３０Ｇの連結溝３４，３４とを凹凸嵌合させ、係止部材９３を連結ナット８０に係止する。そして、水道メータ２０Ｇを回動操作することで可動筒体３０Ｇを止水位置から通水位置に戻すと、カム中継部材９１によるボール８７の押し付けが解除され、ボール８７が流入口１１Ｗから流れ込んだ水道水によってカム中継部材９１と共に上方へ押し上げられる。すると、ボール８７が環状パッキン１６から離間して流入口１１Ｗが開放し、再び計量流路２１Ｇに水道水が供給されて、水道水の通過体積が計量可能となる。このように、本実施形態によっても、前記第１実施形態と同等の効果を奏することができる。なお、水道メータ２０Ｇと中間金具１０Ｇとの間を、常には図示しない取り外し防止部材によって連結して、正規の作業者ではない者によって不正に水道メータ２０Ｇが取り外されることを防止するようにしてもよい。 
【００７０】
［第３実施形態］
図１１は本発明の第３実施形態を示す。この第３実施形態は、中間金具の構成を上記第２実施形態とは異なる構成としたものである。その他の構成については上記第２実施形態と同じであるため、同じ構成については、同一符号を付し、重複する説明は省略する。
【００７１】
図１１に示すように、水道メータシステム８００のうち、中間金具１０Ｈは、図示しない水道管に接続される水道管接続台座６０と、水道メータ２０Ｇを収容した本体部１０Ｎとを着脱可能に備えてなる。
【００７２】
水道管接続台座６０は、二重筒構造をなした取付台座部６０Ａの外周面から相反する方向に１対の水道管接続部６０Ｂ，６０Ｃを延設した構造をなし、これら水道管接続部６０Ｂ，６０Ｃが、図示しない水道管に接続される。図１１における右側の水道管接続部６０Ｃの内部空間は、取付台座部６０Ａのうち、外筒部６３の内側に形成された内筒部６２の内部空間に連通しており、図１１における左側の水道管接続部６０Ｃは、取付台座部６０Ａのうち内筒部６２と外筒部６３との間に挟まれた空間に連通している。内筒部６２の上端開口縁には段差部が形成され、ここに環状パッキン６４が装着されている。また、外筒部６３の上端内周面には螺子が形成されている。さらに、取付台座部６０Ａの上面には、外筒部６３の上端開口を囲むようにＯリング溝が形成され、ここに装着されたＯリング６５が本体部１０Ｎの下面に押し潰されて密着している。
【００７３】
本体部１０Ｎは、円筒形状の外ケース１０Ｊの内側に、円筒形状のメータ受容部１１Ｈを備えてなり、これら外ケース１０Ｊとメータ受容部１１Ｈとが図示しないリブによって一体に繋がった構造をなしている。そして、メータ受容部１１Ｈに水道メータ２０Ｇを収容した可動筒体３０Ｇが通水位置と止水位置との間で回動可能に嵌合されている。
【００７４】
外ケース１０Ｊの下面中央部には、円形開口１０Ｌが形成されその円形開口１０Ｌの周縁部から水道管接続台座６０に向かって連結筒１０Ｍが延びている。連結筒１０Ｍの外周面には螺子が形成されており、水道管接続台座６０の外筒部６３の上端内周面に螺合している。
【００７５】
メータ受容部１１Ｈの下面中央部には流入口１１Ｗが形成され、その流入口１１Ｗの周縁部から水道管接続台座６０に向かって流入管１１Ｚが延びている。流入管１１Ｚは、外ケース１０Ｊの円形開口１０Ｌの中央部を通って外ケース１０Ｊの下面よりも下方に突出している。また、流入管１１Ｚの下端開口縁には段差部が形成され、この段差部が内筒部６２の上端開口縁に形成された段差部と凹凸嵌合している。なお、内筒部６２の上端開口縁と流入管１１Ｚの下端開口縁との間で環状パッキン６４が押し潰されている。
【００７６】
なお、本実施形態において、図１１における左側の水道管接続部６０Ｂと内筒部６２と流入管１１Ｚの各内部空間によって本発明の「上流側端部流路」が構成されている。また、内筒部６２及び外筒部６３で囲まれた空間と、外ケース１０Ｊ及びメータ受容部１１Ｈで囲まれた空間と、図１１における右側の水道管接続部６０Ｃの内部空間とによって本発明の「下流側端部流路」が構成されている。
【００７７】
そして、可動筒体３０Ｇが通水位置のときには、水道水は図１１の太線矢印で示したように、上流側の水道管接続部６０Ｂから、ボール収容部屋５０Ｂ、計量流路２１Ｇの順に流れて、ここで、羽根車、電磁誘導又は超音波を利用して水道水の通過体積が計量され、計量流路２１Ｇからメータ受容部１１Ｈの外側を通って下流側の水道管接続部６０Ｃに向かって流れる。また、可動筒体３０Ｇが止水位置とすると、水道水は流入口１１Ｗにて堰き止められて、水道メータ２０Ｇへの水道水の供給が禁止される。そして、本実施形態によっても上記第第１及び第２実施形態と同等な効果を奏することができる。
【図面の簡単な説明】
【００７８】
【図１】本発明の第１実施形態に係る水道メータシステムの正断面図
【図２】通水状態時の水道メータシステムの平断面図
【図３】止水状態時の水道メータシステムの平断面図
【図４】水道メータを取り外した状態の水道メータシステムの正断面図
【図５】ボール当接部の平面図
【図６】第２実施形態に係る水道メータシステムの正断面図
【図７】止水状態時の水道メータシステムの平断面図
【図８】水道メータを取り外した状態の水道メータシステムの正断面図
【図９】水道メータと可動筒体の分解斜視図
【図１０】（Ａ）通水状態におけるカム中継部材と回動摺接壁の側面図（Ｂ）止水状態におけるカム中継部材と回動摺接壁の側面図
【図１１】第３実施形態に係る水道メータシステムの正断面図
【図１２】（Ａ）従来の水道メータシステムの平面図（Ｂ）側断面図
【符号の説明】
【００７９】
１０Ｆ〜１０Ｈ    中間金具
１１Ｆ〜１１Ｈ    メータ受容部
１１Ｊ，１１Ｋ，６０Ｂ，６０Ｃ    水道管接続部
１２    上流側端部流路
１３    下流側端部流路
１６    Ｏリング（開口シール部）
１７，５０Ｂ    ボール収容部屋（球体収容部屋）
２０Ｆ，２０Ｇ    水道メータ
２１，２１Ｇ    計量流路
３０Ｆ，３０Ｇ    可動筒体
３０Ｍ    隔壁連絡口（上流側中継流路）
３１Ａ    上流側中継流路
３１Ｂ    下流側中継流路
３１Ｃ    カム斜面
４１    筒体操作部
５１    側部開口（下流側中継流路）
８７    ボール（球体）
８８    環状パッキン（開口シール部）
８９    ボール当接部（球体当接部）
９１    カム中継部材
９２    回動摺接壁（回動摺接部）
６００〜８００    水道メータシステム
【図１】
2006275590.tif 000003
【図２】
2006275590.tif 000004
【図３】
2006275590.tif 000005
【図４】
2006275590.tif 000006
【図５】
2006275590.tif 000007
【図６】
2006275590.tif 000008
【図７】
2006275590.tif 000009
【図８】
2006275590.tif 000010
【図９】
2006275590.tif 000011
【図１０】
2006275590.tif 000012
【図１１】
2006275590.tif 000013
【図１２】
2006275590.tif 000014